【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
セルラーネットワークのページングチャンネルアクセスを提供する方法であって、前記ページングチャンネルアクセスはネットワーク・リソースの利用のために最適化され、
前記セルラーネットワーク上のレガシーデバイスに対する拡張されたデバイスの割合に基づき、ページングチャンネルアクセスのために１以上のリソースを割り当てること、
割り当てられた前記１以上のリソースを識別するページングチャンネルアクセスのスケジュールを複数のユーザデバイスに提供すること、
前記スケジュールを送信することであって、当該送信により、前記複数のユーザデバイスの少なくとも１つが割り当てられた前記１以上のリソースをモデムが受信するように構成できるようになる、
ことが実行される方法。
【請求項２】
前記スケジュールを提供することは、共通の制御チャンネルを介して前記スケジュールをブロードキャストすること、又は専用の制御チャンネルを介して前記スケジュールをブロードキャストすることを含む、請求項１に記載の方法。
【請求項３】
前記スケジュールは、前記複数のユーザデバイスのサブセットのみに対処する、請求項１に記載の方法。
【請求項４】
前記１以上のリソースを割り当てることは、
(i)送信時間、(ii)周波数帯域、(iii)スプレッディングコード、のうちの１つだけにページングチャンネルアクセスを制限することを含む、又は
(i)送信時間、(ii)周波数帯域、(iii)スプレッディングコード、の少なくとも１つにページングチャンネルアクセスを制限することを含む、
請求項１に記載の方法。
【請求項５】
前記ネットワーク・リソースの利用は、(i)総セル帯域幅又は(ii)帯域幅フラグメンテーションのレベル、の少なくとも１つによって特徴づけられる、請求項１に記載の方法。
【請求項６】
セルラーネットワークにより提供される少なくとも第１メッセージを介して、前記セルラーネットワークのユーザによって１以上のページングチャンネル・コンフィグレーションを受信する方法であって、
前記第１メッセージをユーザデバイスで受信する処理と、
前記第１メッセージからページングスケジュールを抽出する処理と、
前記ページングスケジュールに基づき１以上のページングチャンネル通知を受信するように前記ユーザデバイスのモデムインタフェースを構成する処理であって、少なくとも１つの将来の不連続受信サイクルの間、ページングチャンネル通知を受信するために利用可能な１以上の時間及び１以上の周波数帯域を識別する内部スケジュールを更新することを含む当該処理と、
ページングチャンネル通知の受信に応答して、受信した前記ページングチャンネル通知が前記ユーザに対するものであるか否かを判断する処理と、
を含む方法。
【請求項７】
前記ページングスケジュールは、共通又は専用の制御チャンネルを通じて受信さえる、請求項６に記載の方法。
【請求項８】
前記ページングスケジュールは、前記セルラーネットワーク内のユーザデバイスのサブセットのみに対処する、請求項６に記載の方法。
【請求項９】
(i)総セル帯域幅、(ii)帯域幅フラグメンテーションのレベル、(iii)前記ユーザデバイスの１以上の特性の少なくとも１つのために最適化される、請求項６に記載の方法。
【請求項１０】
デジタルプロセッサ、
前記デジタルプロセッサとデータ通信する無線インタフェース、
前記デジタルプロセッサとデータ通信する記憶デバイスであって、デジタルプロセッサによって実行されたとき、コンピュータ実行可能命令を記憶する当該記憶デバイスと、
を備えた無線基地局装置であって、
前記コンピュータ実行可能命令は、
１以上の無線ネットワークパラメータに基づき、周波数リソースの第１のサブセットに制限する、ページングチャンネル送信の拡張モードを割り当て、
周波数リソースの第２のサブセットに制限する、ページングチャンネル送信のレガシーモードを割り当て、
前記無線インタフェースを介して前記拡張モードに関係する情報を送信し、
前記拡張モードに基づき前記無線インタフェースを介してページングチャンネル送信を実行する、
ことを含む、無線基地局装置。
【請求項１１】
前記無線インタフェースはセルラーネットワークに接続し、
前記１以上の無線ネットワークパラメータは、(i)総セルラーセル帯域幅、(ii)帯域幅フラグメンテーションのレベル、(iii)前記セルラーネットワークに関連する複数のユーザデバイスの１以上の特性、の少なくとも１つを含む、請求項１０に記載の無線基地局装置。
【請求項１２】
前記拡張モードに関係する情報の送信は、前記複数のユーザデバイスの第１のサブセットのみに対処する情報の送信、又はセルラー共通制御チャンネルを介して前記複数のユーザデバイスに対処する情報の送信を含む、請求項１１に記載の無線基地局装置。
【請求項１３】
前記無線インタフェースはセルラーネットワークに接続し、
前記１以上の無線ネットワークパラメータは、少なくとも無線リソース接続（ＲＲＣ）状態情報を含む、請求項１０に記載の無線基地局装置。
【請求項１４】
ＬＴＥ準拠マクロセル基地局を更に備えた、請求項１０に記載の無線基地局装置。
【請求項１５】
前記拡張モードに関係する情報の送信は、
前記ページングチャンネル送信が送信される搬送波周波数に関する情報、
ページング識別子及びページングメッセージが送信される際のタイミングデータ、
ユーザデバイスが前記ページング識別子及びページングメッセージを受信できる１以上のチャンネルの帯域幅サイズに関する情報、
無線リソース接続（ＲＲＣ）状態情報、
を含む、請求項１０に記載の無線基地局装置。
【請求項１６】
前記１以上のチャンネルは、物理ダウンリンク制御チャンネル（ＰＤＣＣＨ）及び物理ダウンリンク共有チャンネル（ＰＤＳＣＨ）を含み、
前記ページング識別子及びページングメッセージは、前記ＰＤＣＣＨ上及び前記ＰＤＳＣＨ上でそれぞれ送信される、請求項１５に記載の無線基地局装置。
【請求項１７】
前記１以上の無線ネットワークパラメータに基づく前記ページングチャンネル送信の拡張モードを割り当ては、
時間及び周波数において時間及び周波数において実質的に重ならない複数の異なるモードの１つを選択すること、
前記無線インタフェースを介して、選択されたページングモードオプションに関連し、且つ動的に構成される１以上のネットワーク・リソースを含む、ページングチャンネル送信のスケジュールを受信し、
前記無線インタフェースが、前記スケジュールに基づき１以上のページングチャンネル通知を受信するように構成すること、
ページングチャンネル通知の受信に応答して、前記ページングチャンネル通知が受信器に対処されるか否かを判断する処理と、
を含む、請求項１０に記載の無線基地局装置。
【請求項１８】
前記スケジュールは、前記無線インタフェースとは異なるインタフェースを介して受信され、
前記異なるインタフェースは、前記無線インタフェースに関連するプロトコルとは異なるプロトコルに従って無線信号を受信するように適合されたトランシーバーを前記装置内に含む、請求項１７に記載の無線基地局装置。
【請求項１９】
前記無線インタフェースの構成は、不連続受信（ＤＲＸ）のために利用できる１以上の時間及び１以上の周波数帯域を識別する内部スケジュールを更新することを含む、請求項１７に記載の無線基地局装置。
【請求項２０】
前記スケジュールは、
前記ページングチャンネル送信が送信される搬送波周波数を識別する第１の情報、
ページング識別子及びページングメッセージが送信される際の第１のタイミングデータ、
受信器が前記ページング識別子及びページングメッセージを受信できる１以上のチャンネルの帯域幅サイズに関する第２の情報、
を含む、請求項１７に記載の無線基地局装置。